(57)【要約】      （修正有）【課題】組織片処理装置において、一定割合の混合液を自動的に作製することのできる技術を提供する。【解決手段】組織片処理装置１０において以下の処理を実行する。（ａ）脱水剤用タンク（大容量タンク１５）から処理槽１１へ、検出センサ３６を用いて所定量となるまで脱水剤を移送する。次いで、（ｂ）中間剤用タンク（大容量タンク１７）から処理槽１１へ、検出センサ３６を用いて所定量となるまで中間剤を移送する。次いで、（ｃ）処理槽１１から混合剤用タンク１４へ、（ａ）処理による脱水剤と、（ｂ）処理による中間剤とが混合されてなる混合剤を移送する。【選択図】図４
2015001512.tif 000002
【特許請求の範囲】
【請求項１】
組織片が収納される処理槽と、
前記処理槽と連通可能に接続され、薬液が貯留される複数の薬液タンクと、
前記処理槽と連通した前記薬液タンクから前記処理槽へ薬液を移送する際には前記処理槽内を減圧し、前記処理槽から該処理槽と連通した前記薬液タンクへ薬液を移送する際には前記処理槽内を加圧するポンプと、
前記処理槽に所定量の薬液が移送されたことを検出する検出センサと、
前記ポンプおよび前記検出センサとそれぞれ配線を介して接続され、複数の処理を実行する制御部と
を備え、
前記複数の処理には、
（ａ）脱水剤を貯留する前記薬液タンクから前記処理槽へ、前記検出センサを用いて所定量となるまで前記脱水剤を移送する処理と、
（ｂ）中間剤を貯留する前記薬液タンクから前記処理槽へ、前記検出センサを用いて所定量となるまで前記中間剤を移送する処理と、
（ｃ）前記（ａ）処理による前記脱水剤と、前記（ｂ）処理による前記中間剤とが混合されてなる混合剤を、前記処理槽から前記混合剤が貯留される前記薬液タンクへ移送する処理と
が含まれることを特徴とする組織片処理装置。
【請求項２】
請求項１記載の組織片処理装置において、
前記検出センサは、前記処理槽に移送された前記薬液の液位を検出する複数の液位センサを備え、
前記処理槽に移送された前記薬液を量る目盛りとして、前記複数の液位センサがそれぞれ設けられていることを特徴とする組織片処理装置。
【請求項３】
請求項２記載の組織片処理装置において、
複数の液位センサには、前記処理槽に移送された前記薬液がオーバーフローするのを防止する上限センサと、前記処理槽に移送された前記薬液の量が前記組織片を浸漬する量を保証する保証センサとが含まれていることを特徴とする組織片処理装置。
【請求項４】
請求項１〜３のいずれか一項に記載の組織片処理装置において、
前記複数の処理には、
（ｄ）前記（ａ）〜（ｃ）処理の後に、前記処理槽内で前記組織片を脱水剤に浸漬させる処理と、
（ｅ）前記（ｄ）処理の後に、前記処理槽内で前記組織片を混合剤に浸漬させる処理と、
（ｆ）前記（ｅ）処理の後に、前記処理槽内で前記組織片を脱水剤に浸漬させる処理と、
（ｇ）前記（ｆ）処理の後に、前記処理槽内で前記組織片を中間剤に浸漬させる処理と、
（ｈ）前記（ｇ）処理の後に、前記処理槽内で前記組織片を包埋剤に浸漬させる処理と
が含まれることを特徴とする組織片処理装置。
【請求項５】
組織片が収納される処理槽と、前記処理槽と連通可能に接続された脱水剤用タンク、中間剤用タンクおよび混合剤用タンクと、前記処理槽に所定量の薬液が移送されたことを検出する検出センサとを備えた組織片処理装置の動作方法であって、
（ａ）前記処理槽と前記脱水剤用タンクとを連通した状態で前記処理槽内を減圧し、前記検出センサを用いて所定量となるまで、前記脱水剤用タンクから前記処理槽へ脱水剤を移送する処理と、
（ｂ）前記処理槽と前記中間剤用タンクとを連通した状態で前記処理槽内を減圧して、前記検出センサを用いて所定量となるまで、前記中間剤用タンクから前記処理槽へ中間剤を移送する処理と、
（ｃ）前記処理槽と前記混合剤用タンクとを連通した状態で前記処理槽内を加圧して、前記（ａ）、（ｂ）処理によって前記処理槽に所定量ずつ供給された前記脱水剤と前記中間剤とが混合されてなる混合剤を、前記処理槽から前記混合剤用タンクへ移送する処理と、
を含むことを特徴とする組織片処理装置の動作方法。
【発明の詳細な説明】
【技術分野】
【０００１】
本発明は、組織片が収容された処理槽に、異なる種類及び異なる濃度の薬液を所定の順序で給排して組織片に浸漬処理を施す組織片処理装置およびその動作方法に適用して有効な技術に関する。
【背景技術】
【０００２】
生物から採取した組織片（検体ともいう。）を顕微鏡で観察するための前処理として、固定処理、脱水処理、脱脂処理、浸透（包埋）処理をこの順で組織片に施す、標本作製方法が用いられている。この標本作製方法は、種々の薬液中に組織片を浸漬させて行われる。例えば薬液として、固定処理ではホルマリン（固定剤）、脱水処理ではアルコール（脱水剤）、脱脂処理ではキシレン（中間剤または脱脂剤）、浸透処理ではパラフィン（包埋剤）が用いられる。
【０００３】
特開２００９−２８１７４５号公報（特許文献１）には、処理槽に供給した薬液量が不足しても、補給して処理操作を継続することができる組織片処理装置が記載されている。
【０００４】
また、特開２０１０−７８４７１号公報（特許文献２）には、組織片に処理を施すことができなくなった薬液を、洗浄液として再利用することができる組織片処理装置が記載されている。
【先行技術文献】
【特許文献】
【０００５】
【特許文献１】特開２００９−２８１７４５号公報
【特許文献２】特開２０１０−７８４７１号公報
【発明の概要】
【発明が解決しようとする課題】
【０００６】
ところで、標本作製方法を用いたとしても、例えば脂肪が多い組織片の場合、その組織片の深部には水分と油分が混在していることが多く、脱脂が不十分となり、パラフィン浸透が不十分なものが得られてしまうことがある。その対応策としては、アルコールによる脱水処理と、キシレンによる脱脂処理との間に、キシレンとアルコールの混合液（混合剤）による処理が行われたりしている。このキシレン・アルコール混合液を用いることで、希釈脱水と脂肪溶解の相互効果により、キシレン・アルコール混合液が組織片の深部に浸透し、脱水、脱脂が行われているものと考えられる。
【０００７】
しかしながら、作業者（例えば、検体技師）自身が、キシレンとアルコールとを所定量ずつ混ぜ合わせて薬液（混合液）を作製しようとすると、手間がかかる上に、手が汚れる、室内が臭う、薬液が床にこぼれるなどの問題が生じてしまう。
【０００８】
また、特許文献１、２に記載の組織片処理装置では、アルコール、キシレン、パラフィンといった各薬液は、別々に薬液タンクに貯留され、対象の処理が行われるときに薬液タンクから処理槽へ供給される。すなわち、これら組織片処理装置では、キシレン・アルコール混合液を取り扱っていない。このため、キシレン・アルコール混合液の作製を、作業者ではなく、自動的に行う組織片処理装置が求められている。
【０００９】
なお、特許文献１、２に記載の組織片処理装置では、同じ処理槽に対してアルコールやキシレンを給排するので、例えば、キシレンにおいては処理槽に残存したアルコールがわずかに含有されることとなるが、これはキシレン・アルコール混合液として前述の相互効果を得られるものではない。
【００１０】
本発明の目的は、一定割合の混合液を作製することのできる組織片処理装置を提供することにある。本発明の前記ならびにその他の目的と新規な特徴は、本明細書の記述および添付図面から明らかになるであろう。
【課題を解決するための手段】
【００１１】
本願において開示される発明のうち、代表的なものの概要を簡単に説明すれば、次のとおりである。
【００１２】
本発明の一実施形態における組織片処理装置は、組織片が収納される処理槽と、前記処理槽と連通可能に接続され、薬液が貯留される複数の薬液タンクと、前記処理槽と連通した前記薬液タンクから前記処理槽へ薬液を移送する際には前記処理槽内を減圧し、前記処理槽から該処理槽と連通した前記薬液タンクへ薬液を移送する際には前記処理槽内を加圧するポンプと、前記処理槽に所定量の薬液が移送されたことを検出する検出センサと、前記ポンプおよび前記検出センサとそれぞれ配線を介して接続され、複数の処理を実行する制御部とを備え、前記複数の処理には、（ａ）脱水剤を貯留する前記薬液タンクから前記処理槽へ、前記検出センサを用いて所定量となるまで前記脱水剤を移送する処理と、
（ｂ）中間剤を貯留する前記薬液タンクから前記処理槽へ、前記検出センサを用いて所定量となるまで前記中間剤を移送する処理と、（ｃ）前記（ａ）処理による前記脱水剤と、前記（ｂ）処理による前記中間剤とが混合されてなる混合剤を、前記処理槽から前記混合剤が貯留される前記薬液タンクへ移送する処理とが含まれることを特徴とする。
【００１３】
また、本発明の一実施形態における組織片処理装置の動作方法は、組織片が収納される処理槽と、前記処理槽と連通可能に接続された脱水剤用タンク、中間剤用タンクおよび混合剤用タンクと、前記処理槽に所定量の薬液が移送されたことを検出する検出センサとを備えた組織片処理装置の動作方法であって、（ａ）前記処理槽と前記脱水剤用タンクとを連通した状態で前記処理槽内を減圧し、前記検出センサを用いて所定量となるまで、前記脱水剤用タンクから前記処理槽へ脱水剤を移送する処理と、（ｂ）前記処理槽と前記中間剤用タンクとを連通した状態で前記処理槽内を減圧して、前記検出センサを用いて所定量となるまで、前記中間剤用タンクから前記処理槽へ中間剤を移送する処理と、（ｃ）前記処理槽と前記混合剤用タンクとを連通した状態で前記処理槽内を加圧して、前記（ａ）、（ｂ）処理によって前記処理槽に所定量ずつ供給された前記脱水剤と前記中間剤とが混合されてなる混合剤を、前記処理槽から前記混合剤用タンクへ移送する処理と、を含むことを特徴とする。
【００１４】
前記一実施形態における組織片処理装置において、前記検出センサは、前記処理槽に移送された前記薬液の液位を検出する複数の液位センサを備え、前記処理槽に移送された前記薬液を量る目盛りとして、前記複数の液位センサがそれぞれ設けられていることが好ましい。これによれば、処理槽を薬液の計量容器として用いることができる。
【００１５】
また、前記一実施形態における組織片処理装置において、複数の液位センサには、前記処理槽に移送された前記薬液の量が前記組織片を浸漬する量を保証する保証センサと、前記処理槽に移送された前記薬液がオーバーフローするのを防止する上限センサとが含まれていることが好ましい。これによれば、液位センサを保証センサおよび上限センサとして用いることができる。
【００１６】
前記一実施形態における組織片処理装置において、前記複数の処理には、（ｄ）前記（ａ）〜（ｃ）処理の後に、前記処理槽内で前記組織片を脱水剤に浸漬させる処理と、（ｅ）前記（ｄ）処理の後に、前記処理槽内で前記組織片を混合剤に浸漬させる処理と、（ｆ）前記（ｅ）処理の後に、前記処理槽内で前記組織片を脱水剤に浸漬させる処理と、（ｇ）前記（ｆ）処理の後に、前記処理槽内で前記組織片を中間剤に浸漬させる処理と、（ｈ）前記（ｇ）処理の後に、前記処理槽内で前記組織片を包埋剤に浸漬させる処理とが含まれることが好ましい。これによれば、脱脂が充分になされた標本を得ることができる。
【発明の効果】
【００１７】
本願において開示される発明のうち、代表的なものによって得られる効果を簡単に説明すれば、組織片処理装置において一定割合の混合液を作製することができる。
【図面の簡単な説明】
【００１８】
【図１】本発明の一実施形態における組織片処理装置の正面図である。
【図２】図１に示す組織片処理装置の上面図である。
【図３】図１に示す組織片処理装置の側面図である。
【図４】図１に示す組織片処理装置の系統図である。
【図５】本発明の一実施形態における標本作製方法の処理フロー図である。
【図６】本発明の一実施形態における混合液の作製工程を説明するための説明図である。
【図７】図６に続く混合液の作製工程を説明するための説明図である。
【図８】図７に続く混合液の作製工程を説明するための説明図である。
【図９】図８に続く混合液の作製工程を説明するための説明図である。
【発明を実施するための形態】
【００１９】
以下の本発明における実施形態では、必要な場合に複数のセクションなどに分けて説明するが、原則、それらはお互いに無関係ではなく、一方は他方の一部または全部の変形例、詳細などの関係にある。このため、全図において、同一の機能を有する部材には同一の符号を付し、その繰り返しの説明は省略する。
【００２０】
また、構成要素の数（個数、数値、量、範囲などを含む）については、特に明示した場合や原理的に明らかに特定の数に限定される場合などを除き、その特定の数に限定されるものではなく、特定の数以上でも以下でも良い。また、構成要素などの形状に言及するときは、特に明示した場合および原理的に明らかにそうではないと考えられる場合などを除き、実質的にその形状などに近似または類似するものなどを含むものとする。
【００２１】
まず、本発明の実施形態における組織片処理装置の構成について、図１〜図４を参照して説明する。図１〜図４はそれぞれ組織片処理装置１０の正面図、上面図、側面図、系統図である。なお、図１〜図３では、装置内部を透視した構成部材を破線で示している。
【００２２】
組織片処理装置１０は、装置本体の上面に設けられたモニタ２８を備えている。このモニタ２８は、組織片に施されている処理などについて表示することができる。
【００２３】
また、組織片処理装置１０は、組織片が収納される処理槽１１（レトルトともいう。）と、処理槽１１を開閉する蓋１１ａとを備えている。例えば、組織片は、バスケット（図示せず）に収納された状態で、処理槽１１の蓋１１ａを開けて処理槽１１に出し入れされる。そして、処理槽１１の蓋１１ａを閉じて、処理槽１１に収納された組織片に対する薬液処理（浸漬処理）が行われる。
【００２４】
また、組織片処理装置１０は、処理槽１１と連通可能に接続され、組織片の処理に用いられる種々の薬液がそれぞれ貯留される複数の薬液タンクを備えている。種々の薬液には、例えば、エタノール（脱水剤）と、キシレン（中間剤）と、エタノールとキシレンとを混合したキシレン・エタノール混合液（混合剤）と、パラフィン（包埋剤）とが含まれる。また、複数の薬液タンクには、これら薬液を貯留する、脱水剤用タンク１２と、中間剤用タンク１３と、混合剤用タンク１４と、脱水剤用タンク１２や中間剤用タンク１３よりも容量が大きい（例えば、２〜３倍程度）大容量タンク１５、１７と、包埋剤用タンク１８とが含まれる。大容量タンク１５、１７には未使用の薬液（新液ともいう。）が貯留される。この大容量タンク１５は脱水剤用タンクとして、大容量タンク１７は中間剤用タンクとして用いられる。
【００２５】
装置内部には上中下段の薬液タンク棚が設けられている。中下段の棚には、内部タンクとして、複数の脱水剤用タンク１２と、複数の中間剤用タンク１３と、複数の混合剤用タンク１４とが配列して設けられている。なお、この中下段の棚には、組織片に処理を施すことができなくなった薬液を貯留したり、いずれかの薬液を予備として貯留したりできる予備タンクを設けることもできる。
【００２６】
また、装置内部の上段の棚には、内部タンクとして、包埋用タンク１８が配列して設けられている。包埋処理では組織片を溶融したパラフィンに浸漬させることとなるが、パラフィンは、室温で固化するため、上段棚を例えば６０℃の温蔵庫（オーブン）として構成し、溶融状態とされている。なお、パラフィンの溶融状態を保持できるように、また、浸漬処置中の各薬液の温度を所定温度に保つために、処理槽１１の底部外側面に加熱ヒータ（図示せず）が設けられている。
【００２７】
また、大容量タンク１５、１７は、脱水剤用タンク１２、中間剤用タンク１３の２〜３倍程度の容量であり、組織片処理装置１０のコンパクト化を図るために薄板状に形成されている。この大容量タンク１５、１７は、組織片処理装置１０の構造体としての強度を確保するために装置本体の両側壁面に一体に装着されている。そして、大容量タンク１５、１７は、その各内壁面が複数の補強材２０が井桁状に接合されて補強されている（図３参照）。井桁状の補強材２０を用いることで、大容量タンク１５、１７へ装置外部から新液を移送する際にタンク内が減圧状態となっても、また、所定量の薬液を貯留することによって加圧状態となっても、大容量タンク１５、１７の歪みを可及的に少なくすることができる。
【００２８】
また、大容量タンク１５、１７内の薬液が外気温度により蒸発し、大容量タンク１５、１７の内圧が高まることが考えられる。このため、蒸発したガスによりタンク内の圧力が規定値以上に上昇することを防ぐために、組織片処理槽１０は、大容量タンク１５に設けられた安全弁４０と、大容量タンク１７に設けられた安全弁４２とを備えている（図４参照）。そして、組織片処理装置１０は、安全弁４０、４２から蒸発したガスの臭気を除去するために、容易に取り替え可能に装置正面に設けられたフィルタ３７（例えば、活性炭フィルタ）を備えている（図１、図４参照）。
【００２９】
また、組織片処理装置１０は、装置本体の正面に設けられ、大容量タンク１５、１７に新液を供給する供給ポート２２、２４と、処理槽１１内への薬液の給排を行う給排ポート２６とを備えている。供給ポート２２、２４、給排ポート２６は、組織片処理装置１０の外部に設けられた着脱可能な外部タンク（薬液タンク）と薬液管路を介して接続されている。大容量タンク１５へは供給ポート２２を介して外部タンク（新液タンク）から未使用の薬液が移送（供給）される。また、大容量タンク１７へは供給ポート２４を介して外部タンク（新液タンク）から未使用の薬液が移送（供給）される。また、処理槽１１へは給排ポート２６を介して外部タンク（新液タンク）から未使用の薬液が移送（供給）され、処理槽１１から給排ポート２６を介して外部タンク（廃液タンク）へ使用済みの薬液（廃液）が移送（排出）される。
【００３０】
また、組織片処理装置１０は、一方で処理槽１１と薬液管路を介して接続され、他方で複数の薬液タンクとそれぞれ薬液管路を介して接続された選択バルブ３０（例えば、電動モータ駆動のロータリバルブ）を備えている。この選択バルブ３０は、脱水剤用タンク１２、中間剤用タンク１３、混合剤用タンク１４、大容量タンク１５、１７、包埋剤用タンク１８、給排ポート２６と接続された外部タンク（新液タンクまたは廃液タンク）のうちから選択された薬液タンクと、処理槽１１とを連通可能とするものである。
【００３１】
また、組織片処理装置１０は、処理槽１１と選択バルブ３０とを接続する薬液管路の中途に設けられた切換バルブ３２（電磁式）を備えている。切換バルブ３２は、三方弁であって、薬液管路３３を介して処理槽の上部と接続され、選択バルブ３０の他には、薬液管路３４を介して処理槽１１の底部と接続されている。切換バルブ３２は、処理槽１１へ薬液を供給（移送）する際に、薬液管路３３を開状態および薬液管路３４を閉状態として、処理槽１１と選択バルブ３０とを連通する。また、切換バルブ３２は、処理槽１１から薬液を排出（移送）する際に、薬液管路３３を閉状態および薬液管路３４を開状態として、処理槽１１と選択バルブ３０とを連通する。また、切換バルブ３２は、処理槽１１内で薬液中に組織片を浸漬する際に、薬液管路３３を閉状態および薬液管路３４を閉状態として、処理槽１１と選択バルブ３０とを遮断する。
【００３２】
また、組織片処理装置１０は、処理槽１１の上部（後述の液位センサ３６ａよりも上部となる。）とエア管路を介して接続され、処理槽１１内を減圧または加圧するポンプ３５と、ポンプ３５とエア管路を介して接続されたフィルタ３７とを備えている。このポンプ３５は、フィルタ３７を介して空気の吸引または処理槽１１内の薬液混合ガスの排出を行う。ポンプ３５は、処理槽１１に選択された薬液タンクから薬液を移送する（引き込む）際に、処理槽１１内を減圧（エア吸引）するのに用いられる。また、ポンプ３５は、処理槽１１から選択された薬液タンクへ薬液を移送する（送り出す）際に、処理槽１１内を加圧（エア噴出）するのに用いられる。
【００３３】
このポンプ３５へ通じるエア路の中途には、大容量タンク１５からのエア管路（均圧ライン）および大容量タンク１７からのエア管路（均圧ライン）が設けられている。そして、組織片処理装置１０は、これらエア管路のそれぞれに設けられた開閉バルブ５４、５６を備えている。この開閉バルブ５４、５６は、手動式であっても、電磁式であってもよい。開閉バルブ５４、５６は、供給ポート２２、２４を介して外部タンク内の薬液を大容量タンク１５、１７に供給（補給を含む）する際のみに開状態と、その他処理中においては閉状態とする。
【００３４】
また、組織片処理装置１０は、処理槽１１に所定量の薬液が移送されたことを検出する検出センサ３６を備えている。この検出センサ３６は、処理槽１１に移送された薬液を量る目盛りとして設けられた複数の液位センサ３６ａ、３６ｂ、３６ｃ、３６ｄ、３６ｅを備えている。このように複数の液位センサ３６ａ〜３６ｅを処理槽１１に設けることで、処理槽１１を薬液の計量容器として用いることができる。例えば、処理槽１１の底部−液位センサ３６ｅ間の液量、液位センサ３６ｅ−３６ｄ間の液量、液位センサ３６ｄ−３６ｃ間の液量、液位センサ３６ｃ−３６ｂ間の液量、液位センサ３６ｂ−３６ａ間の液量が同じとなるように、複数の液位センサ３６ａ〜３６ｄが設けられている。なお、より多くの液位センサを設けることで、処理槽１１の目盛りを細かく振ることができる。
【００３５】
そして、液位センサ３６ａは、処理槽１１に移送された薬液がオーバーフローするのを防止する上限センサとしても用いられる。また、液位センサ３６ｃは、処理槽１１に移送された薬液の量が組織片を浸漬する量を保証する保証センサとしても用いられる。
【００３６】
また、組織片処理装置１０は、選択バルブ３０、切換バルブ３２、ポンプ３５、および検出センサ３６とそれぞれ配線を介して電気的に接続され、複数の処理を実行する制御部３８を備えている。制御部３８は、演算処理装置（ＣＰＵ）や記憶部（メモリ）を用いて構成され、予め記録された動作プログラムにしたがって動作し、選択バルブ３０、切換バルブ３２、ポンプ３５を駆動するための信号を送信したり、検出センサ３６からの検出信号を受信したりして、選択バルブ３０などの制御を行う。なお、制御部３８に対して処理動作開始指示などの制御用データや各工程の処理データが操作部（図示せず）によって、入力されている。
【００３７】
次に、本発明の実施形態における組織片処理装置を用いた標本作製方法について図４〜図９を参照して説明する。図５は、標本作製方法の処理フロー図であり、その一部が制御部３８の処理フローと重複している。また、図６〜図９は、混合液の作製工程を説明するための説明図である。なお、図６〜図９では、説明を明解にするために組織片処理装置の要部を簡略して示している。
【００３８】
まず、組織片処理装置１０の薬液タンクに新液を供給（貯留）する（図５のステップＳ１００）。具体的には、エタノールを脱水剤用タンク１２へ供給し、キシレンを中間剤用タンク１３へ供給し、パラフィンを包埋剤用タンク１８へ供給する（図６参照）。また、エタノールを大容量タンク１５へ供給し、キシレンを大容量タンク１７へ供給する。
【００３９】
続いて、装置内部で混合液（薬液）を作製し、混合剤用タンク１４に混合液から組織片処理装置１０の薬液タンクに混合液を移送（供給）する（図５のステップＳ２００）。
【００４０】
まず、大容量タンク１５と処理槽１１とを連通するように選択バルブ３０の選択、切換バルブ３２の切り替えを行い、ポンプ３５によって処理槽１１内を減圧して、大容量タンク１５内のエタノールを吸引して処理槽１１内へエタノールを移送する（図７参照）。このとき、大容量タンク１５（脱水剤用タンク）から処理槽１１へ、検出センサ３６を用いて所定量となるまで、すなわち液位センサ３６ｄが検知するまでエタノールを移送する。
【００４１】
次いで、大容量タンク１７と処理槽１１とを連通するように選択バルブ３０の選択、切換バルブ３２の切り替えを行い、ポンプ３５によって処理槽１１内を減圧して、大容量タンク１７内のキシレンを吸引して処理槽１１内へキシレンを移送する（図８参照）。このとき、大容量タンク１７（中間剤用タンク）から処理槽１１へ、検出センサ３６を用いて所定量となるまで、すなわち液位センサ３６ｂが検知するまでキシレンを移送する。これにより、先に処理槽１１内に移送されているエタノールと、キシレンとが１：１の割合（混合比）で混合されてなるキシレン・エタノール混合液が作製される。
【００４２】
ここで、エタノールとキシレンとの割合が１：１に限らず、作業者の入力設定（例えば、モニタ２８の選択画面からの選択）によって種々変更することができる。例えば、エタノールとキシレンとの割合が１：２とする場合、液位センサ３６ｅが検知するまでエタノールを処理槽１１へ移送した後、液位センサ３６ｃが検知するまでキシレンをさらに処理槽１１へ移送すればよい。より細かい割合でキシレン・エタノール混合液を作製する場合には、処理槽１１に移送された薬液を量る目盛りとして、より多くの液位センサを設ければよい。
【００４３】
次いで、処理槽１１と移送先の混合剤用タンク１４とを連通するように選択バルブ３０の選択、切換バルブ３２の切り替えを行い、ポンプ３５によって処理槽１１内を加圧して、処理槽１１内のキシレン・エタノール混合液を押圧して移送先の混合剤用タンク１４へキシレン・エタノール混合液を移送する（図９参照）。
【００４４】
このように、処理槽１１に所定量の薬液が移送されたことを検出する検出センサ３６を用いることで、組織片処理装置１０において一定割合の混合液を自動的に作製することができる。また、作業者の入力設定だけで、容易に一定割合の混合液を自動的に作製することができる。また、フィルタ３７を備えた組織片処理装置１０の内部で混合液を作製するので、室内環境を健全に保つことができる。
【００４５】
続いて、エタノールに浸漬させて、第１脱水剤処理を行う（図５のステップＳ３００）。これに先立ち、組織片はバスケット（図示せず）に入れられ、バスケットが処理槽１１に収容される。ここでは、組織片処理装置１０の薬液タンク（内部タンク）として、エタノールが貯留された脱水剤用タンク１２を３つ（以下、１２ａ、１２ｂ、１２ｃと符号を付す。）確保されているものとする。なお、確保される脱水剤用タンク１２の数は、作業者の設定により変更することができる。
【００４６】
まず、脱水剤用タンク１２ａと処理槽１１とを連通するように選択バルブ３０の選択、切換バルブ３２の切り替えを行い、ポンプ３５によって処理槽１１内を減圧して、脱水剤用タンク１２ａ内のエタノールを吸引して処理槽１１内へエタノールを移送する。
【００４７】
このとき、脱水剤用タンク１２ａから処理槽１１へ、検出センサ３６を用いて所定量となるまで、保証センサである液位センサ３６ｃが検知するまでエタノールを移送する。すなわち、処理槽１１内に移送されたエタノールの液面は、液位保証センサ３６ｃと上限センサ３６ａと間であり、エタノール中に組織片を充分に浸漬できる量となる。液位センサ３６ｃが検知できない場合には、大容量タンク１５あるいは脱水剤用タンク１２ｂから処理槽１１内へエタノールを補給することができる。なお、他のキシレンなどの薬液に対しても検出センサ３６を用いて同様にして移送（補給）することができる。
【００４８】
次いで、エタノール中に組織片を所定時間浸漬した後、処理槽１１と脱水剤用タンク１２ａとを連通するように選択バルブ３０の選択、切換バルブ３２の切り替えを行い、ポンプ３５によって処理槽１１内を加圧して、処理槽１１内のエタノールを押圧して脱水剤用タンク１２ａへエタノールを移送する。
【００４９】
同様にして、脱水剤用タンク１２ｂ、１２ｃから処理槽１１へ移送されたエタノール中に組織片を順繰りに浸漬する。このような第１脱水剤処理によって、組織片が含有する水分をある程度取り除いてしまうことができる。
【００５０】
ここで、組織片と所定回数接触すると、組織片中の水分などが混入されて脱水剤用タンク１２ａ、１２ｂ、１２ｃに貯留されるエタノールの濃度が低下する。具体的には、エタノールの濃度は最も先に処理に用いられる脱水剤用タンク１２ａのものが最も低濃度であり、次いで脱水剤用タンク１２ｂ、１２ｃの順となる。このため、所定回数第１脱水剤処理を行った後、落液処理を行う。まず、脱水剤用タンク１２ａのエタノールを用いた浸漬処理後、選択バルブ３０で給排ポート２６の外部タンク（廃液タンク）を選択して、処理槽１１からその外部タンクへそのエタノールを排出（移送）する。次いで、脱水剤用タンク１２ｂのエタノールを用いた浸漬処理後、選択バルブ３０で空の脱水剤用タンク１２ａを選択して、処理槽１１から脱水剤用タンク１２ａへそのエタノールを移送する。次いで、脱水剤用タンク１２ｃのエタノールを用いた浸漬処理後、選択バルブ３０で空の脱水剤用タンク１２ｂを選択して、処理槽１１から脱水剤用タンク１２ｂへそのエタノールを移送する。そして、大容量タンク１５の未使用のエタノールを処理槽１１に移送した後、選択バルブ３０で空の脱水剤用タンク１２ｃを選択して、処理槽１１から脱水剤用タンク１２ｃへそのエタノールを供給（移送）する。なお、他のキシレンなどの薬液に対しても同様にして落液処理を行う。
【００５１】
続いて、組織片をキシレン・エタノール混合液に浸漬させて、混合剤処理（親和処理）を行う（図５のステップＳ４００）。ここでは、組織片処理装置１０の薬液タンク（内部タンク）として、キシレン・エタノール混合液が貯留された混合剤用タンク１４を２つ（以下、１４ａ、１４ｂと符号を付す。）確保されているものとする。なお、確保される混合剤用タンク１４の数は、作業者の設定により変更することができる。
【００５２】
まず、混合剤用タンク１４ａと処理槽１１とを連通するように選択バルブ３０の選択、切換バルブ３２の切り替えを行い、ポンプ３５によって処理槽１１内を減圧して、混合剤用タンク１４ａ内のキシレン・エタノール混合液を吸引して処理槽１１内へキシレン・エタノール混合液を移送する。
【００５３】
次いで、キシレン・エタノール混合液中に組織片を所定時間浸漬した後、処理槽１１と混合剤用タンク１４ａとを連通するように選択バルブ３０の選択、切換バルブ３２の切り替えを行い、ポンプ３５によって処理槽１１内を加圧して、処理槽１１内のキシレン・エタノール混合液を押圧して混合剤用タンク１４ａへキシレン・エタノール混合液を移送する。
【００５４】
同様にして、混合剤用タンク１４ｂから処理槽１１へ移送されたエタノール中に組織片を順繰りに浸漬する。このような混合剤処理によって、キシレン・エタノールによる脂肪溶解（親和性の向上）と希釈脱水の相互効果により、薬液が組織片の深部にまで浸透させることができる。
【００５５】
続いて、組織片をエタノールに浸漬させて、第２脱水剤処理を行う（図５のステップＳ５００）。ここでは、組織片処理装置１０の薬液タンク（内部タンク）として、エタノールが貯留された脱水剤用タンク１２を２つ（以下、１２ｄ、１２ｅと符号を付す。）確保されているものとする。なお、確保される脱水剤用タンク１２の数は、作業者の設定により変更することができる。
【００５６】
まず、脱水剤用タンク１２ｄと処理槽１１とを連通するように選択バルブ３０の選択、切換バルブ３２の切り替えを行い、ポンプ３５によって処理槽１１内を減圧して、脱水剤用タンク１２ｄ内のエタノールを吸引して処理槽１１内へエタノールを移送する。
【００５７】
次いで、エタノール中に組織片を所定時間浸漬した後、処理槽１１と脱水剤用タンク１２ｄとを連通するように選択バルブ３０の選択、切換バルブ３２の切り替えを行い、ポンプ３５によって処理槽１１内を加圧して、処理槽１１内のエタノールを押圧して脱水剤用タンク１２ｄへエタノールを移送する。
【００５８】
同様にして、脱水剤用タンク１２ｅから処理槽１１へ移送されたエタノール中に組織片を順繰りに浸漬する。このような第２脱水剤処理によって、キシレン・エタノール混合液をエタノールに置換することでさらに希釈脱水をすることができる。
【００５９】
続いて、組織片をキシレンに浸漬させて、中間剤処理を行う（図５のステップＳ６００）。ここでは、組織片処理装置１０の薬液タンク（内部タンク）として、キシレンが貯留された中間剤用タンク１２を３つ（以下、１３ａ、１３ｂ、１３ｃと符号を付す。）確保されているものとする。なお、確保される脱水剤用タンク１２の数は、作業者の設定により変更することができる。
【００６０】
まず、中間剤用タンク１３ａと処理槽１１とを連通するように選択バルブ３０の選択、切換バルブ３２の切り替えを行い、ポンプ３５によって処理槽１１内を減圧して、中間剤用タンク１３ａ内のキシレンを吸引して処理槽１１内へキシレンを移送する。
【００６１】
次いで、キシレン中に組織片を所定時間浸漬した後、処理槽１１と中間剤用タンク１３ａとを連通するように選択バルブ３０の選択、切換バルブ３２の切り替えを行い、ポンプ３５によって処理槽１１内を加圧して、処理槽１１内のキシレンを押圧して中間剤用タンク１３ａへキシレンを移送する。
【００６２】
同様にして、中間剤用タンク１３ｂ、１３ｃから処理槽１１へ移送されたキシレン中に組織片を順繰りに浸漬する。このような中間剤処理によって、充分に脱水された組織片に対して脂肪を溶解させながら組織片の深部にキシレンを浸透させることができる。
【００６３】
続いて、組織片をパラフィンに浸漬させて、包埋剤処理を行う（図５のステップＳ７００）。ここでは、組織片処理装置１０の薬液タンク（内部タンク）として、パラフィンが貯留された包埋剤用タンク１８を４つ（以下、１８ａ、１８ｂ、１８ｃ、１８ｄと符号を付す。）確保されているものとする。なお、確保される包埋剤用タンク１８の数は、作業者の設定により変更することができる。
【００６４】
まず、包埋剤用タンク１８ａと処理槽１１とを連通するように選択バルブ３０の選択、切換バルブ３２の切り替えを行い、ポンプ３５によって処理槽１１内を減圧して、中間剤用タンク１３ａ内のパラフィンを吸引して処理槽１１内へパラフィンを移送する。
【００６５】
次いで、パラフィン中に組織片を所定時間浸漬した後、処理槽１１と包埋剤用タンク１８ａとを連通するように選択バルブ３０の選択、切換バルブ３２の切り替えを行い、ポンプ３５によって処理槽１１内を加圧して、処理槽１１内のパラフィンを押圧して包埋剤用タンク１８ａへパラフィンを移送する。
【００６６】
同様にして、包埋剤用タンク１８ｂ、１８ｃ、１８ｄから処理槽１１へ移送されたパラフィン中に組織片を順繰りに浸漬する。このような包埋剤処理によって、脂肪を溶解させながら、キシレンが浸透した組織片の深部にまでパラフィンを浸透させることができる。
【００６７】
本実施形態における組織片処理装置１０によれば、顕微鏡で観察可能であり、脱脂が充分になされた標本（組織片）を得ることができる。
【００６８】
以上、本発明を実施形態に基づき具体的に説明したが、本発明は前記実施形態に限定されるものではなく、その要旨を逸脱しない範囲で種々変更可能であることはいうまでもない。
【００６９】
例えば、前記実施形態では、検出センサ３６として、処理槽１１の目盛りとして複数の液位センサ３６ａ〜３６ｅを用いることで、組織片処理装置１０の構成をシンプルとした場合について説明した。これに限らず、処理槽１１手前の薬液管路に設けられた流量センサを用いて処理槽へ移送される薬液量を検出することもできる。
【００７０】
また、例えば、前記実施形態では、脱水剤としてエタノールを用いた場合について説明したが、メタノール、ブタノール、イソプロパノール、工業用メチルアルコールなどのアルコールを用いることもできる。また、前記実施形態では、中間剤としてキシレンを用いた場合について説明したが、トルエン、クロロホルム、アルカン系脂肪族炭化水素を主成分とする薬液などを用いることもできる。このため、前記実施形態では、混合剤としてキシレン・エタノール混合液を用いた場合について説明したが、例えば、キシレン・メタノール混合液を用いることもできる。
【００７１】
また、例えば、前記実施形態では、脱水剤用タンク１２、１３よりも容量が大きい大容量タンク１５、１７を備え、それぞれから処理槽１１に給液することによって、自動的に一定の割合で混合液を作製する場合について説明した。これに限らず、大容量タンク１５、１７を備えずに、複数の脱水剤用タンク１２のうちのいずれかを新液タンクとし、複数の中間剤用タンク１３のうちのいずれかを新液タンクとして用いて、これら新液タンクから自動的に一定の割合で混合液を作製することもできる。
【００７２】
また、例えば、前記実施形態では、キシレン・エタノール混合液を作製するにあたり、処理槽１１にエタノールを供給した後、さらに処理槽１１にキシレンを供給する場合について説明したが、処理槽１１にキシレンを供給した後、さらに処理槽１１にエタノールを供給する場合であってもよい。
【００７３】
また、例えば、前記実施形態では、脱水剤としてエタノールを用い、中間剤としてキシレンを用い、その脱水剤用および中間剤用タンクからキシレン・エタノール混合液を作製する場合について説明した。これに限らず、脱水剤としてメタノールを用い、中間剤としてキシレンを用い、また、脱水剤用タンクとは別の薬液タンクを設けてエタノールを貯留させておき、別の薬液タンクおよび中間剤用タンクからキシレン・エタノール混合液を作製することもできる。
【００７４】
また、例えば、前記実施形態では、組織片に対して、第１脱水剤処理、混合剤処理、第２脱水剤処理、中間剤処理、包埋剤処理の順で行って標本を作製する場合について説明したが、混合剤処理による組織片の脱水が充分である場合、第２脱水剤処理を省略することもできる。
【符号の説明】
【００７５】
１０  組織片処理装置
１１  処理槽
１１ａ  蓋
１２  脱水剤用タンク
１３  中間剤用タンク
１４  混合剤用タンク
１５、１７  大容量タンク
１８  包埋剤用タンク
２０  補強材
２２、２４  供給ポート
２６  給排ポート
２８  モニタ
３０  選択バルブ
３２  切換バルブ
３３、３４  薬液管路
３５  ポンプ
３６  検出センサ
３６ａ、３６ｂ、３６ｃ、３６ｄ  液位センサ
３７  フィルタ
３８  制御部
４０、４２  安全弁
５４、５６  開閉バルブ
【図１】
2015001512.tif 000003
【図２】
2015001512.tif 000004
【図３】
2015001512.tif 000005
【図４】
2015001512.tif 000006
【図５】
2015001512.tif 000007
【図６】
2015001512.tif 000008
【図７】
2015001512.tif 000009
【図８】
2015001512.tif 000010
【図９】
2015001512.tif 000011